(57)【要約】【課題】花類の種類、色、季節、行事、使用者の気分、花器が置かれるところの雰囲気によって台部を取り換え可能とし、それと共に花類を挿入し保持するための本体を取り換え可能かつ容易とすることで台部と花類を挿入し保持するための本体との組合せを使用者の好みに応じて任意に変更できる花器を提供するものである。【解決手段】台部と花類を挿入し保持するための本体とを有する花器であって、前記台部を設置しようとする面と接触する前記台部の面と対向する部位において、その花器を設置しようとする面に対して上方に、前記台部の面に対向する部位に取り付け相手部を設けるとともに、前記花類を挿入し保持するための本体に取り付け部を設け、前記台部の取り付け相手部と当該本体の取り付け部とを係脱可能にしたことを特徴とする花器。【選択図】          図１
2011010958.tif 000002
【特許請求の範囲】
【請求項１】
台部と花類を挿入し保持するための本体とを有する花器であって、前記台部を設置しようとする面と接触する前記台部の面と対向する部位において、その花器を設置しようとする面に対して上方に、前記台部の面に対向する部位に取り付け相手部を設けるとともに、前記花類を挿入し保持するための本体に取り付け部を設け、前記台部の取り付け相手部と当該本体の取り付け部とを係脱可能にしたことを特徴とする花器。
【請求項２】
前記花器を設置しようとする面と接触する前記台部の面が複数存在する場合に、その複数存在する台部の面と対向するそれぞれの部位において、その花器を設置しようとする面に対して上方に前記対向する部位に取り付け相手部を前記台部のそれぞれの部位に設けたことを特徴とする請求項１記載の花器。
【請求項３】
前記本体の取り付け部を当該本体の底部に設けたことを特徴とする請求項１または２記載の花器。
【請求項４】
前記本体の取り付け部を雄ネジ部とし、かつ、前記台部に設けた取り付け相手部を雌ネジ部としたことを特徴とする請求項１から３いずれか１項記載の花器。
【請求項５】
台部と花類を挿入し保持するための本体とを有する花器であって、花器を設置しようとする面と接触する前記台部の面が複数存在する場合に、その複数存在する面と対向するそれぞれの部位において、その花器を設置しようとする面に対してほぼ垂直上方に前記対向する部位に取り付け相手部である雌ネジ部を前記台部のそれぞれの部位に設けるとともに、前記花類を挿入し保持するための本体に取り付け部である雄ネジ部を設け前記台部の取り付け相手部である雌ネジ部と当該本体の取り付け部である雄ネジ部とを係脱可能にしたことを特徴とする花器。
【請求項６】
前記花類を挿入し保持するための本体の底部に設けた取り付け部である雄ネジ部を当該底部と取り外し可能に配置したことを特徴とする請求項４または５記載の花器。
【請求項７】
台部に自然石を使用する構成としたことを特徴とする請求項１から６いずれか１項記載の花器。
【請求項８】
台部を金属素材としたことを特徴とする請求項１から６いずれか１項記載の花器。
【請求項９】
前記台部における金属素材はチタンとし、その表面に陽極酸化又は熱処理をし、又は、ツチ目からなる模様を施したことを特徴とする請求項８記載の花器。
【発明の詳細な説明】
【技術分野】
【０００１】
本発明は、台部と花類を挿入し保持するための本体からなる花器に関するものである。
【背景技術】
【０００２】
従来から、一輪挿しや花瓶などその形状は様々なものが存在し、例えば、瓶の形状をした一輪挿し、グラス形状をした花瓶などの花器が使用されていた。このうち特に模様や柄または絵などが付され美的処理を施した花瓶等は、花を生けることができることはもちろんであるが、それ単独で置物として使用されることもあった。
【０００３】
しかしながら、上記美的処理を施した花瓶等を長期に亘って置物として使用すると、やがて新鮮味がなくなり飽きが生じることとなる。このような場合、切り花、造花、ドライフラワー、木、枝などの花類の種類を変えたとしても、あまり効果はなく次第に興味を失っていくことになる。また、その様な模様や柄または絵等のない上記瓶等の形状の一輪挿しであれば、なおさらすぐに飽き、興味を失わせるものとなる。
【０００４】
一方で、実用新案出願公開昭５７−４２６７５号公報によれば、有底円筒形で下端部に段部を設けて短筒部を形成し該短筒部の外周にねじを刻設した花木類筒体と、内周にねじを刻設し前記短筒部を螺入する円筒部の上縁を外方に湾曲膨出せしめるとともに該円筒部の下端部に段部を設けて短筒部を形成した受座体と、前記花立筒本体に装設する剣山とからなる墓前花立筒なる考案が周知である。すなわち、従来は、墓前花立筒がコンクリートで固定されているために花立筒内に塵、埃等が溜積した場合に清掃することができないものであったものであるのに対し、上記考案は墓前花立筒を、花立筒本体と受座体、剣山をもって構成したものであり、花立筒本体のみを受座体から取り外すことができることとし、上記花立筒をとりはずして清掃が可能となったものである。
【０００５】
【特許文献１】実開昭５７−４２６７５号公報
【発明の開示】
【発明が解決しようとする課題】
【０００６】
しかし、前記公報に記載されている考案においては、趣味性の高い台部を使用し、花木の種類、色、季節、行事、当事者の気分、花器が置かれるところの雰囲気によって、台部を取り換え可能とし、かつ形状の異なる花立筒に変更可能とすることまでは企図されていない。本発明は前記の点に着目してなされたもので、花類の種類、色、季節、行事、当事者の気分、花器が置かれるところの雰囲気によって台部を取り換え可能とし、それと共に花類を挿入し保持するための本体を取り換え可能かつ容易とすることで台部と花類を挿入し保持するための本体との組合せを当事者の好みに応じて任意に変更できる花器を提供することを課題とする。また、台部の向きを変えることにより当事者が台部の見える面を変更可能とし、それに伴い花類を挿入し保持するための本体を上記台部における好適な位置に配置させることができる実用性と趣味性の兼ね備えた花器を提供することを課題とする。また、台部と本体を確実に固定できるようにすることを目的とする。また、台部に癒し効果を有することを課題とする。また、台部の加工を容易にし、前記花を挿す本体の角度を容易に変えることができる花器を提供することを課題とする。
【課題を解決するための手段】
【０００７】
前記の課題を解決するため、本発明は、台部と花類を挿入し保持するための本体とを有する花器であって、前記台部を設置しようとする面と接触する前記台部の面と対向する部位において、その花器を設置しようとする面に対して上方に前記台部の面に対向する部位に取り付け相手部を設けるとともに、前記花類を挿入し保持するための本体に取り付け部を設け、前記台部の取り付け相手部と当該本体の取り付け部とを係脱可能にしたことを特徴とする花器である。このように構成することにより、花類の種類、色、季節、行事、当事者の気分、花器が置かれるところの雰囲気によって台部を取り換えることができ、また、花類を挿入し保持するための本体を取り換え可能とすることで台部と花類を挿入し保持するための本体との組合せを当事者の好みに応じて、任意に変更できるものである。ここで、花類とは、生花、切り花、造花、ドライフラワー、木、枝などが含まれる。
【０００８】
前記の課題を解決するため、本発明は、前記花器を設置しようとする面と接触する前記台部の面が複数存在する場合に、その複数存在する台部の面と対向するそれぞれの部位において、その花器を設置しようとする面に対して上方に前記対向する部位に取り付け相手部を前記台部のそれぞれの部位に設けたことを特徴とする前記記載の花器である。このように構成することで、台部における取り付け相手部が、それぞれの対向する部位に設けられているので、花類の種類、色、季節、行事、当事者の気分、花器が置かれるところの雰囲気によって、台部におけるそれぞれの面のうち当事者の好みの面を、当該当事者の見える位置に向くように、当該台部を設置しようとする面に配置することができ、さらに、花器を設置しようとする面に対して上方に前記対向する部位に取り付け相手部を設けているので、前記取り付け相手部に本体の取り付け部を係脱可能にすることによって、本体と台部の様々な組み合わせを楽しむことができ、飽きることが少なく長期にわたって興味を維持し続ける花器を提供することができる。
【０００９】
前記の課題を解決するため、本発明は、前記本体の取り付け部を当該本体の底部に設けたことを特徴とする花器である。そのように構成することにより本体の取り扱いが容易となる。
【００１０】
前記の課題を解決するため、本発明は、前記本体の取り付け部を雄ねじ部とし、かつ、前記台部に設けた取り付け相手部を雌ねじ部としたことを特徴とする前記記載の花器である。前記のように構成することで、台部と本体を確実に固定でき、また取り外しが容易となるので、季節やその場の雰囲気あるいは、当事者の好みに合わせた花類を挿入する本体を当該台部に確実に装着しかつ容易に交換することができるものとなる。
【００１１】
前記の課題を解決するため、本発明は、台部と花類を挿入し保持するための本体とを有する花器であって、花器を設置しようとする面と接触する前記台部の面が複数存在する場合に、その複数存在する面と対向するそれぞれの部位において、その花器を設置しようとする面に対してほぼ垂直上方に前記対向する部位に取り付け相手部である雌ねじ部を前記台部のそれぞれの部位に設けるとともに、前記花類を挿入し保持するための本体に取り付け部である雄ねじ部を設け、前記台部の取り付け相手部である雌ねじ部と当該本体の取り付け部である雄ねじ部とを係脱可能にしたことを特徴とする花器である。前記のように構成することで、台部に本体を配置した場合に当該本体の開口部をほぼ垂直上方に向くことができるため、趣味性を有するものとすることができるとともに、台部と本体を確実に固定でき、また取り外しが容易となるので、季節やその場の雰囲気あるいは、当事者の好みに合わせた花類を挿入する本体を当該台部に確実に装着しかつ容易に交換することができるものとなる。
【００１２】
前記の課題を解決するため、本発明は、前記花類を挿入し保持するための本体の底部に設けた取り付け部である雄ねじ部を当該底部と取り外し可能に配置したことを特徴とする前記記載の花器である。台部が必ずしも平坦な面のみを有していない場合に好ましい。すなわち台部に取り付け相手部である雌ねじ部を設ける場合に、穴をあける必要があるが、題部を設置しようとする面と接触する面が平坦でない場合に、必ずしも台部を設置しようとする面に対してほぼ垂直上方に開けることができない。その場合に、当該穴が垂直上方からずれたとしても取り付け部である雄ねじ部を曲げることにより、上記本体の花類を挿入する部位を垂直上方へ向くように修正することができる。しかしながら一度曲げた取り付け部である雄ねじ部は金属製である場合には加工硬化を起こし再度曲げるのは容易ではない。そのような状況の下、取り付け部である雄ねじ部を前記本体の底部から取り外し可能とすることにより、雄ねじを交換可能としたものである。このようにすることにより、曲がった取り付け部である雄ねじ部を交換するができる。したがって、台部における別の面に設けた取り付け相手部である雌ねじ部に、前記取り付け部である雄ねじ部を係合させる際に、当該雄ねじ部を交換すれば、加工硬化を起こしていない取り付け部である雄ねじ部の修正が容易となり、本体の花類を挿入する部位を垂直上方へ向くようにすることができる。この場合、のちに述べるように、台部において自然石を使用した場合に有効である。
【００１３】
前記の課題を解決するため、本発明は、台部に自然石を使用する構成とした上記記載の花器である。このように自然石は、見る角度によって様々な表情を有しているため、台部の見える面を当事者が変更することによって、様々な表情を醸し出すことができる。また、台部を自然石としたものは前記花類を挿入する本体が人工物であること相俟って自然物と人工物のとの調和が図れ、当事者を癒すものとなる。
【００１４】
前記の課題を解決するため、本発明は、台部を金属素材としたことを特徴とする前記記載の花器である。このように台部を金属製とすることで、台部の加工を容易とするとともに当事者の好みに応じた形状とすることができ、さらに耐久性を有するものとなる。
【００１５】
前記の課題を解決するために前記台部における金属素材はチタンとしその表面に陽極酸化又は熱処理をし、またはつち目からなる模様を施したことを特徴とする前記記載の花器である。台部を陽極酸化被膜の厚さ又は熱処理により発色させることができる。また、つち目、溶接またはエッチングによる加工がなされ台部表面に模様が付すこともできる。このため台部に華やかさを与え飽きがこない趣味性の高いものとなる。
【発明の効果】
【００１６】
本発明は、花類の種類、色、季節、行事、当事者の気分、花器が置かれるところの雰囲気によって、台部におけるそれぞれの面のうち任意の面を当該当事者の見える位置に向くように配置し、当該台部を設置しようとする面と対向する部位に設けた取り付け相手部が常に上方に向いているため、花類を挿入し保持するための本体の底部に設けた取り付け部をその取り付け相手部に取り付けることにより、当該容器を上方に向けることができるので花類を適切に保持することができる。また、季節やその場の雰囲気あるいは、当事者の好みに合わせた台部を選び、花類を挿入し保持するための本体を装着することができる花器を提供することができるので、飽きることが少なく長期にわたって興味を維持し続ける趣味性と実用性を兼ね備えた花器を提供することができる。
【発明を実施するための最良の形態】
【００１７】
以下図示の実施形態を参照して本発明をより詳細に説明する。図１は、台部と花類を挿入し保持するための本体との組み合わせ斜視図である。図２は、台部の向きを変えた場合の図１（ａ）におけるＸ‐Ｘ線の１部破断正面図及び図１（ｃ）におけるＹ‐Ｙ線断面図である。図３は、本体の実施例図である。図４は、本体をほぼ垂直上方に修正した状態図である。
【００１８】
花器１０は、台部２０と、生花、切り花、造花、ドライフラワーなどの花類を挿入し保持するための本体４０とを有するものである。図１における台部２０の形状及び材質はさまざまなバリエーション（図１、２０（ａ）、（ｂ）、（ｃ）、（ｄ））が考えられるが、これらの形状あるいは材質に限定されるものではない。例えば、自然石を使用する場合には、石の種類は限られず、砂岩、泥岩、礫岩、チャート、石灰岩、凝灰岩、流紋岩、安山岩、玄武岩、花崗岩、閃緑岩、ハンレイ岩、片岩、片麻岩、角閃岩、緑色岩などを当事者の好みに応じて使用することができる。その表面に表れる様々な色彩、模様、形状が当事者を癒すことができるからである（図１ａ参照）。
【００１９】
また、人工的に作成する台部２０の場合、例えば金属素材を用いることができる。さらに、金属素材を使用する場合に限らず合成樹脂を用いることができる。また、その形状は様々で例えば、上述のように自然石を使用したもの（図１ａ参照）、四角錐の上部を切り落としたような形状のもの（図１ｃ参照）、あるいは、１２面体形状のもの（図１ｄ参照）等あらゆる立体形状を構成することができその形状に限定はない。金属素材を使用する場合は、特にチタンまたはアルミニウム又はマグネシウム若しくはステンレスそれらの合金類を素材とするもので形成することができる。前記金属素材に対する加工はチタン系に対しては、陽極酸化被膜の厚さ又は熱処理により発色させることができる。また、つち目による加工がなされ台部２０の表面に模様を付すこともできる（図１ｂ参照）。更に、エッチングによる加工がなされ台部表面に模様が付すこともできる。アルミニウム系の金属素材に対してはアルマイト加工などが施される。それにより色彩を付すことができるため、台部２０に美的処理を施すことで華やかさを与え、当事者に対して新鮮味を保ちつづけ、かつ、飽きが生じさせない趣味性の高い花器を提供することができる。
【００２０】
台部２０を金属素材で形成するためには、板状物を溶接あるいは接着などの公知の手段で接合して構成する。また他の実施例ではダイキャスト、鍛造など公知の方法で構成する。また、後に述べる台部２０に本体４０を配置し、花類を当該本体４０に挿入した際に、その重量で転倒することを防止するため、上記台部２０が中空構造であるときは、その中空構造の内部にコンクリートを流し込んで転倒しないように重くすることもできる。また、前記コンクリートの代わりに砂類、石膏、合成樹脂、金属などを流し込むこともできる。特に前記砂類２７のような流動性を有するものの場合は、台部２０を当事者の好みに応じて、台部の向きを変更した場合に、常に台部２０の下方に砂類２７が移動し、台部の底に当該砂類２７が溜ることによって、台部２０の姿勢を安定させることができる（図２（２）参照）。ここで、内部が中空である場合は、取り付け相手部２５を有底筒状２６に構成する。また、当該取り付け相手部２５は、溶接、接着など公知の方法で取り付けられる。
【００２１】
本発明の実施例では、台部２０に穴２１を開けることにより取り付け相手部２５とする（図３Ａ参照）。また、他の実施例では、台部２０に下穴２３をあけ、その下穴２３に雌ねじ部材２２を挿入し固定することで、雌ねじ部２４を構成し、取り付け相手部２５を構成しているが（図３Ｂ、Ｃ、Ｄ、Ｆ参照）、雌ねじ部２４を直接台部２０に刻設することで取り付け相手部２５とすることもできる（図示せず）。
【００２２】
台部２０において、花器１０を設置しようとする面Ａと接触する前記台部の面Ａ′に対向する部位Ａ″に取り付け相手部２５Ａ″を設けている（図２（1）参照）。また、花器を設置しようとする面Ａと接触する前記台部の面Ｂ′（前記面Ａ′とは別の面）と対向する部位Ｂ″において、取り付け相手部２５Ｂ″を設けている（図２（1）′参照）。また、面Ａ′と対向する部位Ａ″において、取り付け相手部２５Ａ″を設けているが、その部位Ａ″において、更に複数の取り付け相手部２５Ａ″を設けている。上記対向する部位Ｂ″においても同様である（図２（1）、（1）′、（２）、（２）′参照）。尚、図２では、図１における（ａ）の部分断面図及び（ｃ）の断面図を記載しているが、図１（ｂ）、（ｄ）に限らず様々な台部に適用できることは云うまでもない。
【００２３】
また台部２０が立体形状であるので、花器１０を設置しようとする面Ａと接触する前記台部の面Ａ′、面Ｂ′とは異なる面と対向する部位においても、取り付け相手部２５を設けることができ、更にその取り付け相手部を複数設けることもできる。このように台部２０が多数の面を有する立体形状であれば、花器１０を設置しようとする面Ａと接触する前記台部の面は、当事者の希望により台部の向きを変えることによって、その都度存在することになり、その都度存在する台部の面に、それぞれ対向する部位において、取り付け相手部２５を配置することができる。またそれぞれの対向する部位において、さらに複数の取り付け相手部２５を配置することもできる（図１参照）。
【００２４】
また、台部２０に自然石を使用した場合には複雑な形状を有する場合が多いいため、花器１０を設置しようとする面Ａと接触しようとする台部２０における面Ａ′が、必ずしも平坦でない場合もある。このため、台部２０を設置しようとする面に当該台部２０を載置させて、花類を挿入し保持するための本体４０を台部２０に配置した場合に、花器１０の姿勢が安定していることが好ましい。従って、取り付け相手部２５を配置する位置および数量は台部２０の形状あるいは大きさによって適宜決定される。また上記取り付け相手部２５は上方に開口していることが好ましいがより好ましくは、例えば部位Ａ″に取り付け相手部２５を設けるとすれば、面Ａに対してほぼ垂直上方となるように設置することが好ましい。台部２０に、本体４０を配置した場合に当該本体４０の開口部Ｚを、ほぼ垂直上方に向けることができるからである。取り付け相手部２５を雌ねじ部２４とした場合も同様である。
【００２５】
また、すでに述べたように、台部２０の素材が自然石類であって、必ずしも平担でない面Ａ″に取り付け相手部２５を設ける場合に、台部２０の固定が困難で、花器１０を設置しようとする面に対して、ほぼ垂直上方に取り付け相手部２５を設けることは困難な場合がある。そのような場合に前記取り付け相手部２５が、前記花器１０を設置しようとする面Ａに対して垂直上方からずれ、斜めに傾いてしまう場合がある（図４参照）。そのような場合において、前記花器１０を設置しようとする面Ａに対して垂直上方からずれ、斜めに傾いてしまった取り付け相手部２５′に本体４０を配置しようとすると、当該本体４０の開口部Ｚが垂直上方を向かず、本体４０が傾いてしまい花類を挿入した場合に見苦しいものとなる。そのような場合に、後に述べるように取り付け部５５を曲げることで本体４０の向きを修正することができる。更に、その本体４０を、台部２０における別の面に配置された取り付け相手部２５に設置する場合、その取り付け相手部２５の開けられている方向が別の方向に傾いていた場合に再度取り付け部５５を曲げて修正することができる。従って、前記取り付け部５５が曲げられるものであることが好ましい。例えばアルミニウム、鉄、ステンレス、チタンなどの金属類が好ましいがそれに限られるものではない。但し、加工硬化を起こす場合については後に述べる。また、使用していない取り付け相手部２５はカバー３０により塞ぐことができる。雌ねじ部２４も同様にカバー３０により塞ぐことができる。
【００２６】
ここで上記花器１０を設置しようとする面Ａ、台部２０における面Ａ′、面Ｂ′と、それぞれを面と記載しているが、必ずしも平坦であるのみならず、凹凸状を含む概念とする。すなわち、花器１０を設置しようとする面Ａに台部２０を載置した場合に、台部２０の向きを維持できる程度のものであればよい。花器１０を設置しようとする面Ａおよび台部２０について、それらの材質、加工によって必ずしも平坦でない場合もあるからである。すでに述べた通り、特に台部２０に自然石を使用した場合がこれに相当するが、自然石に限られるものではない。
【００２７】
花類を挿入し保持するための本体４０は、図１記載されているように、その形状材質はさまざまなバリエーションが考えられるが（４０（ｅ）、（ｆ）、（ｇ）、（ｈ）、（ｉ）、（ｊ））これらの形状に限定されるものではない。例えば、円筒形型本体４０（ｅ）、逆４角錐型本体４０（ｆ）、Ｕ字状形型本体４０（ｇ））、角状本体４０（ｈ）、ハスの実状本体４０（ｉ）、扁平状本体４０（ｊ）があるがこれは例示にすぎないものである。また、金属で構成することもでき、例えば、ステンレス素材又はチタン素材、アルミニウム素材などが使用されるがこれに限られることはない。また、本体４０の底部４１（ｅ）、４１（ｆ）、４１（ｇ）、４１（ｈ）、４１（ｉ）、４１（ｊ）にはそれぞれ取り付け部５５、５５、５５、５５、５５、５５を有する。従って、花類の種類、色、季節、行事、当事者の気分、花器が置かれるところの雰囲気によって上記本体４０（ｅ）、４０（ｆ）、４０（ｇ）、４０（ｈ）、４０（ｉ）、４０（ｊ）を取り換えることができる（図１参照）。
【００２８】
本発明の以下の実施例では、円筒形型本体４０（ｅ）を例に説明するが、上記別の本体（４０（ｆ）、（ｇ）、（ｈ）、（ｉ）、（ｊ））に適用できることは云うまでもない。本体４０の底部４１に連結部４２を、本体４０に設けた筒状天井部４４を有する筒状体４３の内部に挿入することで取り付け部５５とし、本体４０と当該連結部４２を取り外し可能とすることも好ましい。これらの場合、すでに述べたように、台部２０に穴部２１を開けることにより取り付け相手部２５とする。従って本体４０と台部２０とが、前記本体４０における取り付け部５５と前記台部２０における取り付け相手部２５よって、係脱可能に構成される。台部２０から本体４０を取り外す場合は、上方に前記本体４０を引き抜けば容易に台部２０から本体４０を取り外すことができるが、連結部４２が台部２０における所定の深さまで挿入されているためぐらつくことはない。また、その場合の取り付け部５５と取り付け相手部２５の嵌め合い寸法はぐらつかない様に決定され、連結部４２を台部２０に挿入するための深さは本体４０の重量、生花の重量、大きさ、量によって適宜決定される（図３Ａ参照）。
【００２９】
また他の実施例では、本体４０の底部４１に雄ねじ部５０を固定することで取り付け部５５としている。前記固定方法は溶接あるいは接着材５９など公知の方法で固定される。また、その他の実施例として、雄ねじ部を交換可能とすることもできる。たとえば、交換可能な雄ねじ部５１において、その一方にねじ係合部５７を設け、かつ他方において、すでに述べたように台部２０における取り付け相手部２５である雌ねじ部２４と係合する雄ねじ５６を設けた構成とし、本体４０の底部４１に上記取り付け雌ねじ部４６を設けることで、取り付け部５５を構成したものである。従って、雄ねじ部５１を交換可能とすることもできる(図３Ｃ参照)。尚、上記取り付け雌ねじ部４６は溶接、接着などの公知手段で固定される。また、取り付け部５５である雄ねじ部５１を上記本体４０から取り外すときには、角状部５３をレンチ等で緩めることで交換できる。また、他の実施例では、雄ねじ部６０にナット６１を２か所設けることにより、取り付け部５５とし、当該ナット６１、６１を本体４０の底部４１における上記取り付け雌ねじ部４６及び台部２０における取り付け相手部２５において、それぞれ接触させることにより、台部２０と本体４０を取り付ける際の緩み止めとすることができる(図３Ｄ参照)。
【００３０】
また他の実施例として、本体４０の底部に収納部８０を設け、その収納部８０の隙間８２にねじ部材７０の鍔部７２を収納し、収納部８０に設けた溝部８１からねじ部７０の先端７１を露出させることにより台部２０に設けた取り付け相手部２５である雌ねじ部２４と係合することができ、さらにねじ部７０は収納部８０から外すことができるので交換可能となる(図３Ｅ参照)。尚、収納部８０とねじ部７０で取り付け部５５を構成する。
【００３１】
また、他の実施例において、本体４０の底部４１に円筒脚部６５を設けることで、これが支えとなって、上記本体４０を単体で立てること可能となる。また、台部２０に上記本体４０を配置した場合に、雄ねじ部６０における台部２０との接合部分を当該円筒脚部６５によって隠すことができるためより趣味性を高めることができる。この場合本体４０（ｅ）に適用することが好ましい。また、雄ねじ部６０と取り付け雌ねじ部４６で構成される取り付け部５５に、管状部材９５を取り付けることによって、取り付け部５５を覆うことができるためより一層美的価値が高まることになる。筒状部材９５はゴム、スポンジ、合成樹脂などが使用される。また、蛇腹状の筒状部材９６を使用することができる（図２（1）′参照）。
【００３２】
ここで、すでに述べたように前記取り付け相手部２５が前記花器１０を設置しようとする面Ａに対して垂直上方からずれ、斜めに傾く場合があり（図４参照）、そのような前記花器１０を設置しようとする面Ａに対して垂直上方からずれ、斜めに傾いてしまった取り付け相手部２５に本体３０を配置しようとすると当該本体４０の開口部Ｚが垂直上方を向かず傾いてしまい花類を挿入するときに見苦しいものとなる場合がある。再度取り付け部５５を曲げて修正することになるが、前記取り付け部５５が金属性の場合には、加工硬化を起こし再び曲げて修正することが困難となる場合がある。この場合に、すでに述べたように取り付け部５５を取り外し可能とし、交換可能なものにすることにより、再び容易に当該本体４０の向きをほぼ垂直上方（図４における矢印方向）に修正することが可能となる。また前記取り付け部５５が破損する可能性があり、その様な場合においても前記取り付け部５５を交換することができる。また、変形可能とした前記連結部４２も取り外し可能であるので同様の効果を奏することになる。
【図面の簡単な説明】
【００３３】
【図１】台部と花類を挿入し保持するための本体との組み合わせ斜視図。
【図２】台部の向きを変えた場合の図１（ａ）におけるＸ‐Ｘ線の１部破断正面図及び図１（ｃ）におけるＹ‐Ｙ線断面図。
【図３】本体の実施例図。
【図４】本体をほぼ垂直上方に修正した状態図。
【符号の説明】
【００３４】
１０  花器
２０  台部
２４  雌ねじ部
２５  取り付け相手部
３０  カバー        
４０  花類を挿入し保持するための本体
４１  本体の底部
５５  取り付け部
９５  筒状部材
【図１】
2011010958.tif 000003
【図２】
2011010958.tif 000004
【図３】
2011010958.tif 000005
【図４】
2011010958.tif 000006